(57)【特許請求の範囲】
【請求項１】
ボウリングボールの、指穴が形成される部位に、差し入れる指の形状より大きい受け入れ孔を形成し、この受け入れ孔に使用者の指の形状に合致して形成された指穴を有するカートリッジを嵌装するとともに、この指穴の内面は、指が物体を握る状態に合致させて曲面に形成し、異なる形状の指穴が形成された多種のカートリッジから使用者に適合した指穴を有するカートリッジを選択して用いるボウリングボールであって、
これらカートリッジの指穴を、指の第２関節の部分が当たる部位のパターンＡと指の第１関節と第２関節との間の部分が当たる部位のパターンＢと指の第１関節より先の部分が当たる部位のパターンＣと指の長さに合わせたカートリッジの高さ寸法のパターンＤと指の太さに合わせた指穴の大きさのパターンＥと指の第１関節と第２関節との間の距離に合わせたパターンＦと指の第１関節より先の部分の腹側の曲がり部分のパターンＧとをそれぞれ複数種類設定し、これらパターンＡないしＧの掛け合わせにより得られる多数のパターンから形成したことを特徴とするボウリングボール。
【請求項２】
カートリッジには、親指を差し入れる指穴が形成されることを特徴とする請求項１に記載のボウリングボール。
【発明の詳細な説明】
【技術分野】
【０００１】
本発明は、ボウリングゲームに使用するボウリングボールに関するものである。
【背景技術】
【０００２】
一般に、ボウリングゲームに用いられるボウリングボールは、直径が約２１．８cm 、重さが１．８１kg（４ポンド) から７．２５kg（１６ポンド)のものが使用される。ボールのコアを包む表面材質は、硬質ラバー（エボナイト）、ポリエステル、ポリウレタン、リアクティブウレタン（ポリウレタンに可塑剤を添加したもの）、パーティクル系（リアクティブウレタンにガラスバルーンやカーバイドなどの粒子を添加したもの）またはエポキシ樹脂からなっている。このボールには、図６に示すように、ボール１０２を掴んで投げるための指穴１１１が円筒状に穿設される。このストレートに形成された指穴１１１は、親指用の穴、中指用の穴そして薬指用の穴からなり、これら指穴は、ボール毎に配置を異ならせて形成され、異なる配置の指穴が形成された多種のボールから使用者の指に合ったボールを選んで使用するようになっている。
【０００３】
しかしながら、上記ボウリングのボールでは、指穴はストレート穴に形成され、しかも、使用者の指の大きさや形に合った指穴の配置となっているボールを多数の中から選ばなければならい。見つからない場合は、使用者の指の大きさや形に合った指穴の配置に近いものを選ばなければならない。使用者の指に合わない指穴の配置となったボールを用いる場合、どうしても握りにくかったり、投げにくかったりするので、ボウリングの競技で実力を発揮できないという問題がある。このため、従来、親指穴内に親指を引っかかり易くして、ボールを持ちやすくする目的で、親指穴内に、親指の関節を曲げたとき親指の腹側が係止される横穴または襞を設けたボウリングのボールが提案されている（特許文献１参照。）。
【特許文献１】特開平１０−１２７８２４号公報（第２頁、図１）
【発明の開示】
【発明が解決しようとする課題】
【０００４】
しかしながら、上記従来のボウリングボールでは、予め親指穴を穿設した後、ヤスリ体を挿入して横穴または襞を形成するようにしているので、各指穴に親指、中指および薬指を差し込んだ際、親指の腹が横穴または襞に係止されないと、親指を親指穴に確実に引っかけることができない。このため、使用者の指の大きさや形に合った指穴の配置となっているボールを多数の中から見つけださなければならず、最適のボールが見つからず、使用者の指に合わない指穴の配置となったボールを用いなければならない場合、どうしても握りにかったり、投げにくかったりするという問題がある。
【０００５】
本発明は、上記課題を解決するためになされたもので、使用者の指に合った最適のグリップでボール握ることができるボウリングボールを提供することを目的とするものである。
【課題を解決するための手段】
【０００６】
本発明の請求項１に係るボウリングボールは、ボウリングボールの、指穴が形成される部位に、差し入れる指の形状より大きい受け入れ孔を形成し、この受け入れ孔に使用者の指の形状に合致して形成された指穴を有するカートリッジを嵌装するとともに、この指穴の内面は、指が物体を握る状態に合致させて曲面に形成し、異なる形状の指穴が形成された多種のカートリッジから使用者に適合した指穴を有するカートリッジを選択して用いるボウリングボールであって、これらカートリッジの指穴を、指の第２関節の部分が当たる部位のパターンＡと指の第１関節と第２関節との間の部分が当たる部位のパターンＢと指の第１関節より先の部分が当たる部位のパターンＣと指の長さに合わせたカートリッジの高さ寸法のパターンＤと指の太さに合わせた指穴の大きさのパターンＥと指の第１関節と第２関節との間の距離に合わせたパターンＦと指の第１関節より先の部分の腹側の曲がり部分のパターンＧとをそれぞれ複数種類設定し、これらパターンＡないしＧの掛け合わせにより得られる多数のパターンから形成したものである。
【０００７】
本発明の請求項１に係るボウリングボールでは、ボウリングボールの、指穴が形成される部位に、差し入れる指の形状より大きい受け入れ孔を形成し、この受け入れ孔に使用者の指の形状に合致して形成された指穴を有するカートリッジを嵌装するとともに、この指穴の内面は、指が物体を握る状態に合致させて曲面に形成し、異なる形状の指穴が形成された多種のカートリッジから使用者に適合した指穴を有するカートリッジを選択して用いるボウリングボールであって、これらカートリッジの指穴を、指の第２関節の部分が当たる部位のパターンＡと指の第１関節と第２関節との間の部分が当たる部位のパターンＢと指の第１関節より先の部分が当たる部位のパターンＣと指の長さに合わせたカートリッジの高さ寸法のパターンＤと指の太さに合わせた指穴の大きさのパターンＥと指の第１関節と第２関節との間の距離に合わせたパターンＦと指の第１関節より先の部分の腹側の曲がり部分のパターンＧとをそれぞれ複数種類設定し、これらパターンＡないしＧの掛け合わせにより得られる多数のパターンから形成したので、指を確実に指穴に差し入れることができ、使用者の指に合った最適のグリップでボールを握ることができ、ボールをコントロールし易くなる。多種のカートリッジから使用者に適したカートリッジを選択するだけで使用者の指に合ったボールを得ることができ、多種のボールを製造するのに較べてコストダウンを図ることができる。指穴に指を差し入れると、指が物体を握る状態になるので、指が指穴に引っかかり易くなり、ボールをコントロールし易くなる。
【０００８】
また、請求項２に係るボウリングボールは、カートリッジには、親指を差し入れる指穴が形成されるようにしたものである。
【０００９】
請求項２に係るボウリングボールでは、カートリッジには、親指を差し入れる指穴が形成されるようにしたことにより、ボールをコントロールするのに重要な親指を確実に指穴に差し入れることができる。
【発明の効果】
【００１４】
本発明に係るボウリングボールは、ボウリングボールの、指穴が形成される部位に、差し入れる指の形状より大きい受け入れ孔を形成し、この受け入れ孔に使用者の指の形状に合致して形成された指穴を有するカートリッジを嵌装するとともに、この指穴の内面は、指が物体を握る状態に合致させて曲面に形成し、異なる形状の指穴が形成された多種のカートリッジから使用者に適合した指穴を有するカートリッジを選択して用いるボウリングボールであって、これらカートリッジの指穴を、指の第２関節の部分が当たる部位のパターンＡと指の第１関節と第２関節との間の部分が当たる部位のパターンＢと指の第１関節より先の部分が当たる部位のパターンＣと指の長さに合わせたカートリッジの高さ寸法のパターンＤと指の太さに合わせた指穴の大きさのパターンＥと指の第１関節と第２関節との間の距離に合わせたパターンＦと指の第１関節より先の部分の腹側の曲がり部分のパターンＧとをそれぞれ複数種類設定し、これらパターンＡないしＧの掛け合わせにより得られる多数のパターンから形成したので、使用者の指に合った最適のグリップでボールを握ることができ、コントロールし易くなる。
【発明を実施するための最良の形態】
【００１５】
ボウリングボールを確実にコントロールするという目的を、ボウリングボールの、指穴が形成される部位に、差し入れる指の形状より大きい受け入れ孔を形成し、この受け入れ孔に使用者の指の形状に合致させて形成された指穴を有するカートリッジを嵌装したことにより実現した。
【実施例１】
【００１６】
以下、図面に示す実施例により本発明を説明する。図１および図２はそれぞれ、本発明の一実施例に係るボウリングボールを示す正面図および一部破断斜視図である。本実施例に係るボウリングボール２には、図１に示すように、中指と薬指をそれぞれ第１または第２関節まで入れる第１、第２の指穴３、４がボール表面に穿設される。ところで、このボウリングボール２には、親指を差し入れる第３の指穴が形成されるべき部位５に受け入れ孔６が形成される。受け入れ孔６は、親指の形状より大きく形成された円筒状に、すなわち、親指の太さより大きい径を有する円筒状に形成される。この受け入れ孔６には、図２および図３に示すように、外面１０Ａがボウリングボール２の球面と合致する中空円筒状カートリッジ１０が嵌め入れられるようになっている。
【００１７】
各カートリッジ１０には、親指を差し入れる指穴１１が形成される。この指穴１１は、各カートリッジ毎に指の形状のパターンに応じて形成され、多種のカートリッジ１０が製造される。使用者は自分の親指の形状に最も合致する指穴１１を有するカートリッジ１０を、すなわち、多種のカートリッジ１０から自分に適合するカートリッジ１０を選ぶようになっている。また、指穴１１の、親指の腹側が触れる内面１２は、親指が物を握る状態に合致させて曲面（アール面）に形成される。このように、本実施例に係るボウリングボール２の指穴１１では親指を握る状態に若干曲げて差し入ることができるようになっており、親指の腹側が内面１２に引っ掛かりやすくなっている。使用者は異なる形状の指穴１１が形成された多種のカートリッジ１０の中から自分の指に適したカートリッジ１１を選択して、ボウリングボール２の受け入れ孔６に嵌装して接着させ、使用者専用のボールとすることができるようになっている。
【００１８】
カートリッジ１０の指穴１１は、図５の（ａ）〜（ｇ）に示すように、例えば、図５の（ａ）では、親指の第２関節の部分が当たる部位のパターンを３種類、符号Ａで示している。図５の（ｂ）では、親指の第１関節と第２関節との間の部分が当たる部位のパターンを３種類、符号Ｂで示している。図５の（ｃ）では、親指の第１関節より先の部分が当たる部位のパターンを３種類、符号Ｃで示している。図５の（ｄ）では、親指の長さに合わせてカートリッジ１０の高さ寸法のパターンを４種類、符号Ｄで示している。図５の（ｅ）では、親指の太さに合わせて指穴１１の大きさのパターンを８種類、符号Ｅで示している。図５の（ｆ）では、親指の第１関節と第２関節との間の距離に合わせてパターンを３種類、符号Ｆで示している。図５の（ｇ）では、親指の第１関節より先の部分の腹側の曲がり部分のパターンを３種類、符号Ｇで示している。これらのパターンＡ〜Ｇの掛け合わせにより多数のパターン（最大７７７６パターン）の中から、使用者に適したカートリッジ１０を選択するようにしている。
【００１９】
次に、上記実施例に係るボウリングボール２の作用について説明する。上記実施例に係るボウリングボール２は、まず、受け入れ孔６が、親指を差し入れる第３の指穴が形成されるべき部位５に形成される。一方、使用者は、多種のカートリッジ１０の中から使用者の親指に適合するカートリッジ１０を選び、この選択したカートリッジ１０をボウリングボール２の受け入れ孔６に嵌め入れ、中指、薬指および親指の各指を指穴３、４、１１に入れてボウリングボール２をグリップしてみる。親指が選択したカートリッジ１０の指穴１１にフィットしなければ、一旦、選択したカートリッジ１０をボウリングボール２から取り外し、別のカートリッジ１０を選択する。こうして、親指がフィットするカートリッジ１０が見つかると、この適合するカートリッジ１０Ｆを一旦ボウリングボール２から取り外し、このカートリッジ１０Ｆに接着剤を塗布して再度ボウリングボール２に嵌装して接着する。こうして適合するカートリッジ１０Ｆが接着されたボウリングボール２は、使用者に適したボウリングボール２となる。このボウリングボール２をグリップすると、使用者の親指が、ものを握った状態に若干曲げられた状態でカートリッジ１０の、曲面に形成された内面１２に触れるので、親指の腹側が内面１２に引っ掛かりやすくなる。このため、しっかりとグリップすることができる。このように、適合したカートリッジ１０Ｆを受け入れ孔６に嵌装して接着すると、カートリッジ１０Ｆには、使用者の親指の形状に合致させた指穴１１が形成されることになるので、親指を確実に指穴１１に差し入れることができ、使用者の指に合った最適のグリップでボール２を握ることができ、ボウリングボール２をコントロールし易くなる。
【００２０】
なお、上記実施例に係るボウリングボールでは、カートリッジに形成する指穴に親指の指穴を適用した例を示したが、これに限られるものではなく、中指や薬指を差し入れる第１、第２の指穴が形成されるべき部位に別の受け入れ孔を形成し、中指に合致した指穴および薬指に合致した指穴が形成されたカートリッジをこの受け入れ孔に嵌装するようにしてもよいし、これら親指穴用のカートリッジと、中指穴および薬指穴用のカートリッジとの２体を用いるようにしてもよい。また、上記実施例では、使用者は多種のカートリッジ１０から自分に適合するカートリッジ１０Ｆを選択するようにしているがこれに限られるものではなく、使用者専用のカートリッジに、使用者の指の形状に合致した指穴を形成し、この使用者の指の形状に合わせて製造されたカートリッジを受け入れ孔に嵌装して接着するようにしてもよい。
【図面の簡単な説明】
【００２１】
【図１】本発明の一実施例に係るボウリングボールを示す平面図である。（実施例１）
【図２】図１のボウリングボールの一部破断斜視図である。
【図３】図１のボウリングボールの要部を拡大して示す説明図である。
【図４】カートリッジの平面図である。
【図５】（ａ）ないし（ｇ）はそれぞれ、カートリッジ内面の形状のパターンを示す説明図である。
【図６】従来のボウリングボールとその指穴を示す説明図である。
【符号の説明】
【００２２】
２  ボウリングボール
５  指穴が形成される部位
６  受け入れ孔
１０  カートリッジ
１１  指穴
【図１】
0005067079.tif 000002
【図２】
0005067079.tif 000003
【図３】
0005067079.tif 000004
【図４】
0005067079.tif 000005
【図５】
0005067079.tif 000006
【図６】
0005067079.tif 000007